(57)【要約】【課題】椅子姿勢と、ベッド姿勢とを可変自在で、椅子姿勢のとき、被介護者の臀部の座部中央部分から脚支持部側へずり落ちを防止する介護用椅子を提供する。【解決手段】介護用椅子１００は、上半身支持部１４０および脚支持部１２０を座部１１０の姿勢に対して傾けた椅子姿勢と、上半身支持部１４０および脚支持部１２０を座部１１０の姿勢に対して倣わせたベッド姿勢とを可変自在であり、少なくとも椅子姿勢のとき、座部１１０の中央部分よりも前側部分の上面１１１が、座部１１０の中央部分の上面１１２より鉛直方向に高く構成されている。【選択図】図１
2019093077.tif 000002
【特許請求の範囲】
【請求項１】
人の臀部を下方から支持する座部と、前記座部より前後方向前側に設けられて脚を支持する脚支持部と、前記脚支持部より前後方向前側に設けられて足を支持する足支持部と、前記座部より前後方向後側に設けられて上半身を支持する上半身支持部と、前記座部の下方に設けられて地面と接する前側キャスターおよび後側キャスターとを備えた介護用椅子において、
前記上半身支持部および脚支持部を座部の姿勢に対して傾けた椅子姿勢と、前記上半身支持部および脚支持部を座部の姿勢に対して倣わせたベッド姿勢とを可変自在であり、
少なくとも椅子姿勢のとき、前記座部の中央部分よりも前側部分の上面が、座部の中央部分の上面より鉛直方向に高く構成されていることを特徴とする介護用椅子。
【請求項２】
少なくともベッド姿勢のとき、前記足支持部、脚支持部、座部、および上半身支持部を駆動力によって上下方向に移動させる昇降手段を有していることを特徴とする請求項１に記載の介護用椅子。
【請求項３】
前記後側キャスターが、前記前後方向において座部より３０ｃｍ以上後方に配設されていることを特徴とする請求項１または請求項２に記載の介護用椅子。
【請求項４】
前記ベッド姿勢のとき、前記足支持部、脚支持部、座部、および上半身支持部が、主床部を構成し、前記前後方向に長尺な補助床部材が、前記主床部における幅方向両側外側に取付られ、
前記補助床部材の幅方向外側が、内側を中心に上方へ揺動自在に構成されていることを特徴とする請求項１乃至請求項３のいずれか１つに記載の介護用椅子。
【請求項５】
前記ベッド姿勢のとき、前記足支持部、脚支持部、座部、および上半身支持部の少なくとも一部における幅方向両端部分に対して、転落防止用移動規制部材が差し込み式で取付自在となる構成であることを特徴とする請求項１乃至請求項３のいずれか１つに記載の介護用椅子。
【請求項６】
前記前側キャスターの径および後側キャスターの径が、８ｃｍ以上であることを特徴とする請求項１乃至請求項５のいずれか１つに記載の介護用椅子。
【発明の詳細な説明】
【技術分野】
【０００１】
本発明は、人の臀部を下方から支持する座部と、座部より前後方向前側に設けられて脚を支持する脚支持部と、脚支持部より前後方向前側に設けられて足を支持する足支持部と、座部より前後方向後側に設けられて上半身を支持する上半身支持部と、座部の下方に設けられて地面と接する前側キャスターおよび後側キャスターとを備えた介護用椅子に関する。
【背景技術】
【０００２】
従来、間隔をおいて配置されるヘッド部およびフット部と、これらのヘッド部とフット部とに掛け渡されるようにして載置された床部とからなり、床部は、幅方向において３分割されて、幅方向中央に配設されるシート、背もたれおよび足置きから構成される主床部と、この主床部の左右に配設される一対の補助床部によって構成され、主床部が、４つのキャスターを有して移動可能な基台上に装着され、各補助床部の両方に、その長さ方向の途中において上方へ突出するように折り畳み可能とする屈曲部が設けられているとともに、この屈曲部の下方に、補助床部を水平に保持するための支持脚が設けられた介護用ベッドが知られている（例えば、特許文献１）。
【先行技術文献】
【特許文献】
【０００３】
【特許文献１】実登３２０１２４１号公報（特に段落００３０〜００４１参照）
【発明の概要】
【発明が解決しようとする課題】
【０００４】
しかしながら、上述した従来の介護用ベッドは、基本的にベッドの一部が移動して車椅子になり、車椅子のとき、主床部のシートが真っ平らで水平姿勢である構造であったため、座っている被介護者の姿勢が崩れそうになり被介護者の臀部が足置き側へ移動しそうになった場合、被介護者の臀部がシート上において足置き側へ移動してずり落ちてしまう虞があった。
【０００５】
そこで、本発明は、前述したような従来技術の問題を解決するものであって、すなわち、本発明の目的は、椅子姿勢と、ベッド姿勢とを可変自在で、椅子姿勢のとき、被介護者の臀部の座部中央部分から脚支持部側へずり落ちを防止する介護用椅子を提供することである。
【課題を解決するための手段】
【０００６】
本請求項１に係る発明は、人の臀部を下方から支持する座部と、前記座部より前後方向前側に設けられて脚を支持する脚支持部と、前記脚支持部より前後方向前側に設けられて足を支持する足支持部と、前記座部より前後方向後側に設けられて上半身を支持する上半身支持部と、前記座部の下方に設けられて地面と接する前側キャスターおよび後側キャスターとを備えた介護用椅子において、前記上半身支持部および脚支持部を座部の姿勢に対して傾けた椅子姿勢と、前記上半身支持部および脚支持部を座部の姿勢に対して倣わせたベッド姿勢とを可変自在であり、少なくとも椅子姿勢のとき、前記座部の中央部分よりも前側部分の上面が、座部の中央部分の上面より鉛直方向に高く構成されていることにより、前述した課題を解決するものである。
【０００７】
本請求項２に係る発明は、請求項１に記載された介護用椅子の構成に加えて、少なくともベッド姿勢のとき、前記足支持部、脚支持部、座部、および上半身支持部を駆動力によって上下方向に移動させる昇降手段を有していることにより、前述した課題をさらに解決するものである。
【０００８】
本請求項３に係る発明は、請求項１または請求項２に記載された介護用椅子の構成に加えて、前記後側キャスターが、前記前後方向において座部より３０ｃｍ以上後方に配設されていることにより、前述した課題をさらに解決するものである。
【０００９】
本請求項４に係る発明は、請求項１乃至請求項３のいずれか１つに記載された介護用椅子の構成に加えて、前記ベッド姿勢のとき、前記足支持部、脚支持部、座部、および上半身支持部が、主床部を構成し、前記前後方向に長尺な補助床部材が、前記主床部における幅方向両側外側に取付られ、前記補助床部材の幅方向外側が、内側を中心に上方へ揺動自在に構成されていることにより、前述した課題をさらに解決するものである。
【００１０】
本請求項５に係る発明は、請求項１乃至請求項３のいずれか１つに記載された介護用椅子の構成に加えて、前記ベッド姿勢のとき、前記足支持部、脚支持部、座部、および上半身支持部の少なくとも一部における幅方向両端部分に対して、転落防止用移動規制部材が差し込み式で取付自在となる構成であることにより、前述した課題をさらに解決するものである。
【００１１】
本請求項６に係る発明は、請求項１乃至請求項５のいずれか１つに記載された介護用椅子の構成に加えて、前記前側キャスターの径および後側キャスターの径が、８ｃｍ以上であることにより、前述した課題をさらに解決するものである。
【発明の効果】
【００１２】
本発明の介護用椅子は、人の臀部を下方から支持する座部と、座部より前後方向前側に設けられて脚を支持する脚支持部と、脚支持部より前後方向前側に設けられて足を支持する足支持部と、座部より前後方向後側に設けられて上半身を支持する上半身支持部と、座部の下方に設けられて地面と接する前側キャスターおよび後側キャスターとを備えていることにより、被介護者を乗せた介護用椅子を介護者が押して移動させることができるばかりでなく、以下のような特有の効果を奏することができる。
【００１３】
本請求項１に係る発明の介護用椅子によれば、椅子姿勢と、ベッド姿勢とを可変自在であるため、椅子姿勢で被介護者を移動させた後、ベッド姿勢にして被介護者をそのまま寝かせることができる。
さらに、被介護者が座っているとき、座っている被介護者の姿勢が崩れそうになり被介護者の臀部が脚支持部側へ移動しそうになった場合、座部の前側部分の上面で臀部との間の摩擦力が大きくなるとともに座部の前側部分が臀部の移動をブロックするため、被介護者の臀部の座部中央部分から脚支持部側へずり落ちを防止することができる。
【００１４】
本請求項２に係る発明の介護用椅子によれば、請求項１に係る発明が奏する効果に加えて、介護するときに被介護者の身体の位置が高さ方向に調整されるため、介護者は立ったままの姿勢で介護することができ、介護者の腰の負担を軽減することができる。
【００１５】
本請求項３に係る発明の介護用椅子によれば、請求項１または請求項２に係る発明が奏する効果に加えて、座っている被介護者が上半身支持部に背中を預けて後方にもたれ掛かる姿勢を取った場合であっても被介護者の重心が前後方向において前側キャスターと後側キャスターとの間に位置した状態で上半身支持部を介して後側キャスターに被介護者の上半身の体重がかかるため、後側キャスターが被介護者の上半身の体重をしっかりと支えることができ、椅子全体が後ろへ倒れてしまうことを回避することができる。
【００１６】
本請求項４に係る発明の介護用椅子によれば、請求項１乃至請求項３のいずれか１つに係る発明が奏する効果に加えて、少なくともベッド姿勢のときに補助床部材を上方へ折るように揺動させると幅が狭くなるため、建物内のドアを通過することができる。
さらに、少なくともベッド姿勢のときに介護者が手前の補助床部材を上方へ折るように揺動させると介護者が被介護者に対して接近自在となるため、介護者が被介護者に対して密接するようにして手元で介抱など介護して介護動作の負担を軽減することができる。
【００１７】
本請求項５に係る発明の介護用椅子によれば、請求項１乃至請求項３のいずれか１つに係る発明が奏する効果に加えて、ベッド姿勢のときに転落防止用移動規制部材が幅方向両端部分に取り付けられると被介護者が寝返りをうって幅方向に移動して幅方向両端部分まで移動した場合、被介護者の身体が転落防止用移動規制部材に接触して、それ以上の幅方向外側への移動が規制されるため、被介護者が転落してしまうことを回避することができる。
さらに、転落防止用移動規制部材は、幅方向両端部分に対して簡単に取付・取り外し可能なため、介護者の負担を軽減することができる。
【００１８】
本請求項６に係る発明の介護用椅子によれば、請求項１乃至請求項５のいずれか１つに係る発明が奏する効果に加えて、建物内の床の段差やエレベータ乗り降りの際の床のつなぎ目などの寸法に対して前側キャスターの径および後側キャスターの径の大きさが十分に大きい大きさとなるため、建物内の床の段差をスムーズに乗り越えることができ、エレベータ乗り降りの際の床のつなぎ目などをスムーズに通過することができ、介護者の負担を軽減することができる。
【図面の簡単な説明】
【００１９】
【図１】本発明の第１実施例である介護用椅子の椅子姿勢のときを示す概略斜視図。
【図２】本発明の第１実施例である介護用いすのベッド姿勢のときを示す概略斜視図。
【図３】（Ａ）は図１の符号３Ａ−３Ａで視た断面図であり、（Ｂ）は他の形態を示す断面図。
【図４】（Ａ）（Ｂ）は主床部が上下移動する様子を示す側面図。
【図５】（Ａ）（Ｂ）は補助床部材が揺動する様子を示す正面図。
【図６】第２実施例の転落防止用移動規制部材を取り付けた様子を示す斜視図。
【図７】第３実施例の転落防止用移動規制部材を取り付けた様子を示す斜視図。
【発明を実施するための形態】
【００２０】
本発明の介護用椅子は、人の臀部を下方から支持する座部と、座部より前後方向前側に設けられて脚を支持する脚支持部と、脚支持部より前後方向前側に設けられて足を支持する足支持部と、座部より前後方向後側に設けられて上半身を支持する上半身支持部と、座部の下方に設けられて地面と接する前側キャスターおよび後側キャスターとを備え、上半身支持部および脚支持部を座部の姿勢に対して傾けた椅子姿勢と、上半身支持部および脚支持部を座部の姿勢に対して倣わせたベッド姿勢とを可変自在であり、少なくとも椅子姿勢のとき、座部の中央部分よりも前側部分の上面が、座部の中央部分の上面より鉛直方向に高く構成されていることにより、被介護者が座っているとき、被介護者の臀部の座部中央部分から脚支持部側へずり落ちを防止するものであれば、その具体的な実施態様は、如何なるものであっても構わない。
【００２１】
例えば、座部の材質は、低反発ウレタン発泡フォーム、高反発ウレタン発泡フォームや、低反発と高反発の両者の良いところを組み合わせた所謂、良反発ウレタンフォームと呼ばれるものなど、人の臀部を支持するものであれば如何なるものであっても構わない。
また、足支持部、脚支持部、座部、および上半身支持部は、低反発ウレタン発泡フォームなどによって一体につながった構成でもよいし、それぞれ、別体の構成でもよい。
さらに、足支持部、脚支持部、座部、および上半身支持部を形成する低反発ウレタン発泡フォームなどを覆うカバーを取り付けてもよい。
【実施例１】
【００２２】
以下に、本発明の第１実施例である介護用椅子１００について、図１乃至図５（Ｂ）に基づいて説明する。
ここで、図１は、本発明の第１実施例である介護用椅子１００の椅子姿勢のときを示す概略斜視図であり、図２は、本発明の第１実施例である介護用いすのベッド姿勢のときを示す概略斜視図であり、図３（Ａ）は、図１の符号３Ａ−３Ａで視た断面図であり、図３（Ｂ）は、図３（Ａ）の座部１１０の変形例を示す断面図であり、図４（Ａ）は、主床部Ｂが下がっている様子を示す側面図であり、図４（Ｂ）は、図４（Ａ）の状態から主床部Ｂが上昇した様子を示す側面図であり、図５（Ａ）は、主床部Ｂの幅方向両側外側に補助床部材１８０を取り付けた様子を示す正面図であり、図５（Ｂ）は、図５（Ａ）の状態から補助床部材１８０が上方へ揺動する様子を示す正面図である。
【００２３】
本発明の第１実施例である介護用椅子１００は、図１に示すように、座部１１０と、脚支持部１２０と、足支持部１３０と、上半身支持部１４０と、前側キャスター１５１と、後側キャスター１５２とを備えている。
このうち、座部１１０は、被介護者の臀部を下方から支持するように設けられている。
また、脚支持部１２０は、座部１１０より前後方向前側に設けられて脚を支持するように構成されている。
【００２４】
さらに、足支持部１３０は、脚支持部１２０より前後方向前側に設けられて足を支持するように構成されている。
また、上半身支持部１４０は、座部１１０より前後方向後側に設けられて上半身を支持するように構成されている。
さらに、前側キャスター１５１および後側キャスター１５２は、座部１１０の下方に設けられて地面と接するように構成されている。
【００２５】
より具体的に、座部１１０は、ベースとなるフレーム部１６０の上方に取り付けられ、フレーム部１６０の左右幅方向外側には、肘掛け１６１が取り付けられている。
さらに、上半身支持部１４０の後方には、介護者が握るハンドル１４１が取り付けられている。
座部１１０、脚支持部１２０、足支持部１３０、および上半身支持部１４０は、ウレタン発泡フォームで一体に形成されている。
なお、それぞれ別体でもよい。
【００２６】
介護用椅子１００は、図１に示す上半身支持部１４０および脚支持部１２０を座部１１０の姿勢に対して傾けた椅子姿勢から、図２に示すように、肘掛け１６１を下げ、上半身支持部１４０および脚支持部１２０を座部１１０の姿勢に対して倣わせたベッド姿勢に可変自在に構成されている。
その結果、椅子姿勢で被介護者を移動させた後、ベッド姿勢にして被介護者をそのまま寝かせることができる。
なお、椅子姿勢とベッド姿勢との間の可変動作は、手動によるものでもよいし、モータの駆動力を用いて自動によるものでもよい。
【００２７】
そして、本実施例の介護用椅子１００は、少なくとも椅子姿勢のとき、図３（Ａ）に示すように、座部１１０の中央部分よりも前側部分の上面１１１が、座部１１０の中央部分の上面１１２より鉛直方向に高く構成されている。
例えば、座部１１０の前側部分の上面１１１が、座部１１０の中央部分の上面１１２より２０ｍｍ〜１００ｍｍ程度高く構成されている。
【００２８】
これにより、被介護者が座っているとき、座っている被介護者の姿勢が崩れそうになり被介護者の臀部が脚支持部１２０側へ移動しそうになった場合、座部１１０の前側部分の上面１１１で臀部との間の摩擦力が大きくなるとともに座部１１０の前側部分が臀部の移動をブロックする。
その結果、被介護者の臀部が座部１１０の中央部分から脚支持部１２０側へずり落ちてしまうことを回避することができる。
【００２９】
なお、図３（Ａ）に示すように、座部１１０の中央部分が凹となる形状にして、座部１１０の前側部分の上面１１１が、座部１１０の中央部分の上面１１２より鉛直方向に高く構成したが、図３（Ｂ）に示すように、座部１１０の全体の上面を水平方向に対して傾けて、座部１１０の前側部分の上面１１１が、座部１１０の中央部分の上面１１２より鉛直方向に高く構成してもよい。
また、図３（Ａ）に示すように、座部１１０の中央部分の上面１１２から前側部分の上面１１１へ徐々に高くなるように前側部分の上面１１１を傾斜させたが、座部１１０の中央部分の上面１１２と前側部分の上面１１１との間に段差を設けて、前側部分の上面１１１を、中央部分の上面１１２より鉛直方向に高く構成してもよい。
【００３０】
また、本実施例の介護用椅子１００は、図４（Ａ）に示すように、少なくともベッド姿勢のとき、足支持部１３０、脚支持部１２０、座部１１０、および上半身支持部１４０をモータ１７１の駆動力によって上下方向に移動させる昇降手段１７０を有している。
昇降手段１７０は、一例として、ジップチェーン（噛み合いチェーン）アクチュエータを用いることができる。
【００３１】
ジップチェーンアクチュエータは、モータ１７１の正転駆動により、ケース１７２に収納された対向する２本のチェーンを送り出しながらかみ合わせて１本の剛体部分１７３を形成し、剛体部分１７３を上方へ移動させて上部のものを上昇させ、モータ１７１の逆転駆動により、１本の剛体部分１７３を２本のチェーンに分離させながらそれぞれのチェーンをケース１７２に退避させ、剛体部分１７３を下方へ移動させて上部のものを下降させるように構成されている。
【００３２】
そして、図４（Ａ）に示す状態から、図４（Ｂ）に示すように、ベッド姿勢のとき、足支持部１３０、脚支持部１２０、座部１１０、および上半身支持部１４０を駆動力によって上昇させる。
これにより、介護するときに被介護者の身体の位置が高さ方向に調整される。
その結果、介護者は立ったままの姿勢で介護することができ、介護者の腰の負担を軽減することができる。
なお、昇降手段１７０の一例として、ジップチェーンアクチュエータを用いたが、ラックアンドピニオン機構やエアシリンダーによる機構などその他の機構でもよい。
【００３３】
さらに、本実施例の介護用椅子１００は、図１、図４（Ａ）および図４（Ｂ）に示すように、後側キャスター１５２が、前後方向において座部１１０より３０ｃｍ以上後方に配設されている。
これにより、座っている被介護者が上半身支持部１４０に背中を預けて後方にもたれ掛かる姿勢を取った場合であっても被介護者の重心が前後方向において前側キャスター１５１と後側キャスター１５２との間に位置した状態で上半身支持部１４０を介して後側キャスター１５２に被介護者の上半身の体重がかかる。
【００３４】
その結果、後側キャスター１５２が被介護者の上半身の体重をしっかりと支えることができ、椅子全体が後ろへ倒れてしまうことを回避することができる。
なお、後側キャスター１５２の位置は、前後方向において座部１１０の後端から３０ｃｍ〜８０ｃｍ程度が望ましい。
それ以上になると、介護用椅子１００の向きを変える際に周囲のものに当たって向きを変えにくくなるからである。
【００３５】
また、本実施例の介護用椅子１００は、図５（Ａ）に示すように、ベッド姿勢のとき、足支持部１３０、脚支持部１２０、座部１１０、および上半身支持部１４０が、主床部Ｂを構成し、前後方向に長尺な補助床部材１８０が、主床部Ｂにおける幅方向両側外側に例えば、差し込み式構造により取付られる。
そして、図５（Ｂ）に示すように、補助床部材１８０の幅方向外側が、内側を中心に上方へ揺動自在に構成されている。
【００３６】
これにより、少なくともベッド姿勢のときに補助床部材１８０を上方へ折るように揺動させると幅が狭くなる。
その結果、建物内のドアを通過することができる。
例えば、主床部Ｂの幅が４２０ｍｍ〜４７０ｍｍ程度であり、補助床部材１８０を取り付けたときの主床部Ｂおよび補助床部材１８０の幅が７４０ｍｍ〜７００ｍｍ程度であり、補助床部材１８０を上方へ折るように揺動させると、５００ｍｍ〜５２０ｍｍ程度となり、一般的なドア幅７００ｍｍを通過することができる。
さらに、少なくともベッド姿勢のときに介護者が手前の補助床部材１８０を上方へ折るように揺動させると介護者が被介護者に対して接近自在となる。
その結果、介護者が被介護者に対して密接するようにして手元で介抱など介護して介護動作の負担を軽減することができる。
【００３７】
さらに、本実施例では、前側キャスター１５１の径および後側キャスター１５２の径が、８ｃｍ以上である。
これにより、建物内の床の段差やエレベータ乗り降りの際の床のつなぎ目などの寸法に対して前側キャスター１５１の径および後側キャスター１５２の径の大きさが十分に大きい大きさとなる。
その結果、建物内の床の段差をスムーズに乗り越えることができ、エレベータ乗り降りの際の床のつなぎ目などをスムーズに通過することができ、介護者の負担を軽減することができる。
【００３８】
なお、フレーム部１６０に振動発生手段を設けて、椅子姿勢およびベッド姿勢のときに、座部１１０、脚支持部１２０、足支持部１３０、および上半身支持部１４０を振動させてもよい。
これにより、被介護者の身体のマッサージ効果が得られる。
また、被介護者の所謂、床ずれを回避することができる。
【００３９】
このようにして得られた本発明の第１実施例である介護用椅子１００は、上半身支持部１４０および脚支持部１２０を座部１１０の姿勢に対して傾けた椅子姿勢と、上半身支持部１４０および脚支持部１２０を座部１１０の姿勢に対して倣わせたベッド姿勢とを可変自在であり、少なくとも椅子姿勢のとき、座部１１０の中央部分よりも前側部分の上面１１１が、座部１１０の中央部分の上面１１２より鉛直方向に高く構成されていることにより、被介護者の臀部の座部１１０の中央部分から脚支持部１２０側へずり落ちを防止することができる。
【００４０】
さらに、少なくともベッド姿勢のとき、足支持部１３０、脚支持部１２０、座部１１０、および上半身支持部１４０を駆動力によって上下方向に移動させる昇降手段１７０を有していることにより、介護者は立ったままの姿勢で介護することができ、介護者の腰の負担を軽減することができる。
【００４１】
また、後側キャスター１５２が、前後方向において座部１１０より３０ｃｍ以上後方に配設されていることにより、後側キャスター１５２が被介護者の上半身の体重をしっかりと支えることができ、椅子全体が後ろへ倒れてしまうことを回避することができる。
【００４２】
さらに、ベッド姿勢のとき、足支持部１３０、脚支持部１２０、座部１１０、および上半身支持部１４０が、主床部Ｂを構成し、前後方向に長尺な補助床部材１８０が、主床部Ｂにおける幅方向両側外側に取付られ、補助床部材１８０の幅方向外側が、内側を中心に上方へ揺動自在に構成されていることにより、ベッド姿勢のとき、建物内のドアを通過することができ、介護者が被介護者に対して密接するようにして手元で介抱など介護して介護動作の負担を軽減することができる。
【００４３】
また、前側キャスター１５１の径および後側キャスター１５２の径が、８ｃｍ以上であることにより、建物内の床の段差をスムーズに乗り越えることができ、エレベータ乗り降りの際の床のつなぎ目などをスムーズに通過することができ、介護者の負担を軽減することができるなど、その効果は甚大である。
【実施例２】
【００４４】
続いて、本発明の第２実施例である介護用椅子２００について、図６に基づいて説明する。
ここで、図６は、本発明の第２実施例の介護用椅子２００に転落防止用移動規制部材２９０を取り付けた様子を示す斜視図である。
第２実施例の介護用椅子２００は、第１実施例の介護用椅子１００の主床部Ｂに転落防止用移動規制部材を取り付け自在としたものであり、多くの要素について第１実施例の介護用椅子１００と共通するので、共通する事項については詳しい説明を省略し、下２桁が共通する２００番台の符号を付すのみとする。
【００４５】
本発明の第２実施例である介護用椅子２００は、図６に示すように、ベッド姿勢のとき、足支持部２３０、脚支持部２２０、座部２１０、および上半身支持部２４０の少なくとも一部における幅方向両端部分の側面２２１、２４２の奥に設けられた穴に対して、転落防止用移動規制部材２９０が側方から差し込み式で取付自在となる構成である。
転落防止用移動規制部材２９０は、主にベッド姿勢の長尺方向に延設されたパイプによって構成されている。
【００４６】
このようにして得られた本発明の第２実施例である介護用椅子２００は、ベッド姿勢のとき、足支持部２３０、脚支持部２２０、座部２１０、および上半身支持部２４０の少なくとも一部における幅方向両端部分の側面２２１、２４２に対して、転落防止用移動規制部材２９０が差し込み式で取付自在となる構成であることにより、被介護者が転落してしまうことを回避することができ、さらに、介護者の負担を軽減することができるなど、その効果は甚大である。
【実施例３】
【００４７】
続いて、本発明の第３実施例である介護用椅子３００について、図７に基づいて説明する。
ここで、図７は、本発明の第３実施例の介護用椅子３００に転落防止用移動規制部材３９０を取り付けた様子を示す斜視図である。
第３実施例の介護用椅子３００は、第２実施例の介護用椅子２００に取り付ける転落防止用移動規制部材２９０の差し込み方向を上下方向としたものであり、多くの要素について第１実施例の介護用椅子１００および第２実施例の介護用椅子２００と共通するので、共通する事項については詳しい説明を省略し、下２桁が共通する３００番台の符号を付すのみとする。
【００４８】
本発明の第３実施例である介護用椅子３００は、図７に示すように、ベッド姿勢のとき、足支持部３３０、脚支持部３２０、座部３１０、および上半身支持部３４０の少なくとも一部における幅方向両端部分の上面３２１、３４２の奥に設けられた穴に対して、転落防止用移動規制部材３９０が上方から下方へ向かって差し込み式で取付自在となる構成である。
【００４９】
このようにして得られた本発明の第３実施例である介護用椅子３００は、ベッド姿勢のとき、足支持部３３０、脚支持部３２０、座部３１０、および上半身支持部３４０の少なくとも一部における幅方向両端部分の上面３２１、３４２に対して、転落防止用移動規制部材３９０が差し込み式で取付自在となる構成であることにより、被介護者が転落してしまうことを回避することができ、さらに、介護者の負担を軽減することができるなど、その効果は甚大である。
【符号の説明】
【００５０】
１００、２００、３００  ・・・  介護用椅子
１１０、２１０、３１０  ・・・  座部
１１１、２１１、３１１  ・・・  （中央部分よりも）前側部分の上面
１１２、２１２、３１２  ・・・  中央部分の上面
１２０、２２０、３２０  ・・・  脚支持部
２２１          ・・・  （脚支持部の）幅方向両端部分の側面
３２１  ・・・  （脚支持部の）幅方向両端部分の上面
１３０、２３０、３３０  ・・・  足支持部
１４０、２４０、３４０  ・・・  上半身支持部
１４１、２４１、３４１  ・・・  ハンドル
２４２          ・・・  （上半身支持部の）幅方向両端部分の側面
３４２  ・・・  （上半身支持部の）幅方向両端部分の上面
１５１、２５１、３５１  ・・・  前側キャスター
１５２、２５２、３５２  ・・・  後側キャスター
１６０、２６０、３６０  ・・・  フレーム部
１６１                  ・・・  肘掛け
１７０                  ・・・  昇降手段
１７１                  ・・・  モータ
１７２                  ・・・  ケース
１７３                  ・・・  （チェーンの）剛体部分
１８０                  ・・・  補助床部材
２９０、３９０  ・・・  転落防止用移動規制部材
Ｂ                      ・・・  主床部
【図１】
2019093077.tif 000003
【図２】
2019093077.tif 000004
【図３】
2019093077.tif 000005
【図４】
2019093077.tif 000006
【図５】
2019093077.tif 000007
【図６】
2019093077.tif 000008
【図７】
2019093077.tif 000009
【手続補正書】
【提出日】平成30年6月27日(2018.6.27)
【手続補正１】
【補正対象書類名】特許請求の範囲
【補正対象項目名】全文
【補正方法】変更
【補正の内容】
【特許請求の範囲】
【請求項１】
人の臀部を下方から支持する座部と、前記座部より前後方向前側に設けられて脚を支持する脚支持部と、前記脚支持部より前後方向前側に設けられて足を支持する足支持部と、前記座部より前後方向後側に設けられて上半身を支持する上半身支持部と、前記座部の下方に設けられて地面と接する前側キャスターおよび後側キャスターとを備えた介護用椅子において、
前記上半身支持部および脚支持部を座部の姿勢に対して傾けた椅子姿勢と、前記上半身支持部および脚支持部を座部の姿勢に対して倣わせたベッド姿勢とを可変自在であり、
椅子姿勢およびベッド姿勢のとき、前記座部の中央部分よりも前側部分の上面が、座部の中央部分の上面より鉛直方向に高く構成され、
少なくともベッド姿勢のとき、前記足支持部、脚支持部、座部、および上半身支持部を駆動力によって上下方向に移動させる昇降手段を有し、
前記ベッド姿勢のとき、前記足支持部、脚支持部、座部、および上半身支持部が、主床部を構成し、前記前後方向に長尺な補助床部材が、前記主床部を構成する前記足支持部、前記脚支持部、前記座部、および前記上半身支持部の幅方向両側外側に取付られ、
前記足支持部、前記脚支持部、前記座部、および前記上半身支持部の幅方向両側外側に取付られるそれぞれの前記補助床部材の幅方向外側が、内側を中心に上方へ揺動自在に構成されていることを特徴とする介護用椅子。
【請求項２】
前記後側キャスターが、前記前後方向において座部より３０ｃｍ以上後方に配設されていることを特徴とする請求項１に記載の介護用椅子。
【請求項３】
前記ベッド姿勢のとき、前記足支持部、脚支持部、座部、および上半身支持部の少なくとも一部における幅方向両端部分に対して、転落防止用移動規制部材が差し込み式で取付自在となる構成であることを特徴とする請求項１または請求項２に記載の介護用椅子。
【請求項４】
前記前側キャスターの径および後側キャスターの径が、８ｃｍ以上であることを特徴とする請求項１乃至請求項３のいずれか１つに記載の介護用椅子。
【手続補正書】
【提出日】平成30年9月28日(2018.9.28)
【手続補正１】
【補正対象書類名】特許請求の範囲
【補正対象項目名】全文
【補正方法】変更
【補正の内容】
【特許請求の範囲】
【請求項１】
人の臀部を下方から支持する座部と、前記座部より前後方向前側に設けられて脚を支持する脚支持部と、前記脚支持部より前後方向前側に設けられて足を支持する足支持部と、前記座部より前後方向後側に設けられて上半身を支持する上半身支持部と、前記座部の下方に設けられて地面と接する前側キャスターおよび後側キャスターとを備えた介護用椅子において、
前記上半身支持部および脚支持部を座部の姿勢に対して傾けた椅子姿勢と、前記上半身支持部および脚支持部を座部の姿勢に対して倣わせたベッド姿勢とを可変自在であり、
椅子姿勢およびベッド姿勢のとき、前記座部の中央部分が凹となる形状であり、中央部分の上面と前側部分の上面との間に段差が設けられ、中央部分の上面と両側部分の上面との間に段差が設けられ、中央部分よりも前側部分および両側部分の上面が、座部の中央部分の上面より鉛直方向に高く構成され、
少なくともベッド姿勢のとき、前記足支持部、脚支持部、座部、および上半身支持部を駆動力によって上下方向に移動させる昇降手段を有し、
前記ベッド姿勢のとき、前記足支持部、脚支持部、座部、および上半身支持部が、主床部を構成し、前後方向に長尺な板状の補助床部材が、前記主床部を構成する前記足支持部、前記脚支持部、前記座部、および前記上半身支持部の幅方向両側外側のそれぞれに対して差し込み式構造により取付られ、
前記足支持部、前記脚支持部、前記座部、および前記上半身支持部の幅方向両側外側に取付られるそれぞれの前記補助床部材の幅方向外側が、内側を中心に上方へ揺動自在に構成されていることを特徴とする介護用椅子。
【請求項２】
前記後側キャスターが、前記前後方向において座部より３０ｃｍ以上後方に配設されていることを特徴とする請求項１に記載の介護用椅子。
【請求項３】
前記前側キャスターの径および後側キャスターの径が、８ｃｍ以上であることを特徴とする請求項１乃至請求項３のいずれか１つに記載の介護用椅子。